(57)【要約】【課題】冷めたご飯を簡単に炊き立てに近い高温まで温めることができ、かつご飯の乾燥や温度バラツキの少ないご飯の再加熱ができる炊飯器を提供することを目的とする。【解決手段】鍋１と、加熱手段２と、鍋温度検知手段３と、蓋部の蓋温度検知手段４と、両温度検知手段３、４の入力から加熱手段２の動作を制御する加熱制御手段５と、冷めたご飯を温かく加熱する冷飯加熱コースを選択する冷飯加熱コース選択手段６とを備え、冷飯加熱コース選択手段６により選択された冷飯加熱コースは、加熱前期の温度検知手段３、４の温度勾配または所定の温度に達するまでの時間差から加熱手段２の後期の動作を決定して、加熱制御手段５を駆動するようにした。これによって、冷飯加熱コースの選択で、炊飯後、冷めたご飯を再度、炊飯器内で簡単に炊き立てに近い高温まで温めることができ、かつご飯の乾燥や温度バラツキの少ないご飯の再加熱ができる。【選択図】図１
2008000392.tif 000002
【特許請求の範囲】
【請求項１】
炊飯物を収容する鍋と、鍋を加熱する加熱手段と、鍋の温度を検知する鍋温度検知手段と、鍋の開口部を覆う蓋部の温度を検知する蓋温度検知手段と、鍋温度検知手段と蓋温度検知手段の入力から加熱手段の動作を制御する加熱制御手段と、炊飯後、冷めたご飯を温かく加熱する冷飯加熱コースを選択する冷飯加熱コース選択手段とを備え、前記冷飯加熱コース選択手段により選択された冷飯加熱コースは、加熱前期の鍋温度検知手段と蓋温度検知手段の温度勾配または所定の温度に達するまでの時間差から加熱手段の後期の動作を決定して、加熱制御手段を駆動するようにした炊飯器。
【請求項２】
冷飯加熱コース選択手段により選択された冷飯加熱コースは、鍋温度検知手段と蓋温度検知手段の加熱開始時の初期温度情報から加熱手段の動作を決定して、加熱制御手段を駆動するようにした請求項１に記載の炊飯器。
【請求項３】
冷飯加熱コース選択手段により選択された冷飯加熱コースは、予め設定された所定時間に達すると鍋温度検知手段と蓋温度検知手段の温度に関わらず、加熱手段の動作を強制的に停止するようにした請求項１または２に記載の炊飯器。
【請求項４】
冷飯加熱コース選択手段により選択された冷飯加熱コースは、冷飯加熱コースを実行するための総工程時間を算出して加熱開始時に残時間初期値を表示するとともに、経過時間毎に表示を減算していく残時間表示手段を備え、加熱手段の後期の動作を決定した際に、表示された残時間を補正するようにした請求項１〜３のいずれか１項に記載の炊飯器。
【請求項５】
冷飯加熱コース選択手段により選択された冷飯加熱コースは、加熱後のご飯の最終温度を使用者が好みの温度帯を選択できるご飯温度選択手段を設け、前記ご飯温度選択手段で選択された温度帯にご飯を温めるように、加熱制御手段を駆動するようにした請求項１〜４のいずれか１項に記載の炊飯器。
【発明の詳細な説明】
【技術分野】
【０００１】
本発明は一般家庭で使用される炊飯器に関するものである。
【背景技術】
【０００２】
従来、炊飯したご飯を約７０℃程度に保持する保温機能を有する炊飯器において、喫食前に、炊き立てのご飯の温度に近い高温まで温めるという保温再加熱機能が付加されたものがある（例えば、特許文献１参照）。また、ファジィ推論を用いることで保温中の米飯の量に応じたきめ細かい再加熱条件を設定して、食味の低下のない再加熱を行なうものもある（例えば、特許文献２参照）。
【特許文献１】特開平７−３９４５５号公報
【特許文献２】特開平８−２２８９２１号公報
【発明の開示】
【発明が解決しようとする課題】
【０００３】
しかしながら、前記従来の構成では、いずれもＪＩＳで定められた保温中のご飯温度である７０℃程度に保持されたご飯を、喫食前に炊き立てに近い温度に温めて、保温中のご飯をよりおいしく仕上げるものであり、また、７０℃の高温では、長時間保温した場合にご飯の乾燥や酸化が進みやすく食味を維持できないので、６０℃程度の低温で長時間保温する場合には、低温で繁殖する菌を殺菌するため一定時間ごとに高温で加熱を行なうものである。このため、保温しないで常温に冷めたご飯を再び温めることはできないという課題を有していた。
【０００４】
現在でも中国など海外の一部では、電力事情や経済性のため、あるいは食生活の習慣から、炊飯したご飯を食べた後、炊飯器内に残ったご飯は保温しないで、電源スイッチを切りそのまま放置する家庭が多い。次回の食事では、冷たいご飯を食べる習慣は少ないため温めて食べるが、保温していないある一定の温度以下の温度では再加熱を受け付けないため、炒めるなどの別の調理方法で再加熱をして食しているのが現状である。
【０００５】
本発明は、前記従来の課題を解決するもので、炊飯後、保温をしないで冷めたご飯を再度、炊飯器内で簡単に炊き立てに近い高温まで温めることができ、かつご飯の乾燥や温度バラツキの少ないご飯の再加熱ができる炊飯器を提供することを目的とする。
【課題を解決するための手段】
【０００６】
前記従来の課題を解決するために、本発明の炊飯器は、炊飯物を収容する鍋と、鍋を加熱する加熱手段と、鍋の温度を検知する鍋温度検知手段と、鍋の開口部を覆う蓋部の温度を検知する蓋温度検知手段と、鍋温度検知手段と蓋温度検知手段の入力から加熱手段の動作を制御する加熱制御手段と、炊飯後、冷めたご飯を温かく加熱する冷飯加熱コースを選択する冷飯加熱コース選択手段とを備え、前記冷飯加熱コース選択手段により選択された冷飯加熱コースは、加熱前期の鍋温度検知手段と蓋温度検知手段の温度勾配または所定の温度に達するまでの時間差から加熱手段の後期の動作を決定して、加熱制御手段を駆動するようにしたものである。
【０００７】
これによって、冷飯加熱コースを選択することで、炊飯後、保温をしないで冷めたご飯を再度、炊飯器内で簡単に炊き立てに近い高温まで温めることができ、かつご飯の乾燥や温度バラツキの少ないご飯の再加熱ができる。
【発明の効果】
【０００８】
本発明の炊飯器は、炊飯後、保温をしないで冷めたご飯を再度、炊飯器内で簡単に炊き立てに近い高温まで温めることができ、かつご飯の乾燥や温度バラツキの少ないご飯の再加熱ができる。
【発明を実施するための最良の形態】
【０００９】
第１の発明は、炊飯物を収容する鍋と、鍋を加熱する加熱手段と、鍋の温度を検知する鍋温度検知手段と、鍋の開口部を覆う蓋部の温度を検知する蓋温度検知手段と、鍋温度検知手段と蓋温度検知手段の入力から加熱手段の動作を制御する加熱制御手段と、炊飯後、冷めたご飯を温かく加熱する冷飯加熱コースを選択する冷飯加熱コース選択手段とを備え、前記冷飯加熱コース選択手段により選択された冷飯加熱コースは、加熱前期の鍋温度検知手段と蓋温度検知手段の温度勾配または所定の温度に達するまでの時間差から加熱手段の後期の動作を決定して、加熱制御手段を駆動するようにしたものである。これによって、冷飯加熱コースを選択することで、炊飯後、保温をしないで冷めたご飯を再度、炊飯器内で簡単に炊き立てに近い高温まで温めることができ、かつご飯の乾燥や温度バラツキの少ないご飯の再加熱ができる。
【００１０】
第２の発明は、特に、第１の発明において、冷飯加熱コース選択手段により選択された冷飯加熱コースは、鍋温度検知手段と蓋温度検知手段の加熱開始時の初期温度情報から加熱手段の動作を決定して、加熱制御手段を駆動するようにしたことにより、加熱前のご飯の温度や環境温度によって加熱手段の動作を調節して、常に同じ温度にご飯を温めることができ、季節や放置時間に関わらず、いつでも安定した温度で、温かい美味しいご飯を食することができる。
【００１１】
第３の発明は、特に、第１または第２の発明において、冷飯加熱コース選択手段により選択された冷飯加熱コースは、予め設定された所定時間に達すると鍋温度検知手段と蓋温度検知手段の温度に関わらず、加熱手段の動作を強制的に停止するようにしたことにより、使用者の誤使用や温度検知手段の異常が発生した場合など、正常な動作が実行できなかった時に、加熱制御手段を構成する電子部品や、加熱手段を構成するヒーターなどの使用保証を超えることはなく、安全性が確保されるとともに、ご飯の過加熱や過乾燥あるいは焦げの発生を防ぐことができる。
【００１２】
第４の発明は、特に、第１〜第３のいずれか１つの発明において、冷飯加熱コース選択手段により選択された冷飯加熱コースは、冷飯加熱コースを実行するための総工程時間を算出して加熱開始時に残時間初期値を表示するとともに、経過時間毎に表示を減算していく残時間表示手段を備え、加熱手段の後期の動作を決定した際に、表示された残時間を補正するようにしたことにより、冷飯加熱コースの加熱開始時に、初期温度から算出された残時間初期値を表示し、さらに経過時間毎に表示が減算していく残時間が常に表示がされるため、使用者は冷飯加熱コースが終了するまでにおおよそどれくらいの時間が必要かを、加熱開始時にも加熱途中にも常に確認することができ、食事準備の段取りをスムーズに行なうことができる。
【００１３】
また、加熱前期の温度検知手段の情報から、後期の加熱手段の動作を決定して算出された必要な工程時間と、表示された残時間との間に誤差が生じた場合には、途中で補正するため、使用者は常に正確な残時間を確認することができる。
【００１４】
第５の発明は、特に、第１〜第４のいずれか１つの発明において、冷飯加熱コース選択手段により選択された冷飯加熱コースは、加熱後のご飯の最終温度を使用者が好みの温度帯を選択できるご飯温度選択手段を設け、前記ご飯温度選択手段で選択された温度帯にご飯を温めるように、加熱制御手段を駆動するようにしたことにより、冷飯加熱後のご飯の最終温度を使用者の好みの温度帯に選択できるため、使用者は常に好みの温度のご飯を美味しく食することができるものである。
【００１５】
以下、本発明の実施の形態について、図面を参照しながら説明する。なお、この実施の形態によって本発明が限定されるものではない。
【００１６】
（実施の形態１）
図１〜図４は、本発明の実施の形態１における炊飯器を示している。
【００１７】
図１に示すように、本実施の形態における炊飯器は、炊飯物を収容する鍋１と、鍋１を加熱する加熱手段２と、鍋１の温度を検知する鍋温度検知手段３と、鍋１の開口部を覆う蓋部の温度を検知する蓋温度検知手段４と、鍋温度検知手段３と蓋温度検知手段４の温度データの信号入力から加熱手段２の動作を最適に制御する加熱制御手段５と、炊飯後、常温に冷めたご飯を温かく加熱する冷飯加熱コースを選択する冷飯加熱コース選択手段６とを備えている。
【００１８】
そして、前記冷飯加熱コース選択手段６により選択された冷飯加熱コースは、加熱前期の鍋温度検知手段３と蓋温度検知手段４の温度勾配または所定の温度に達するまでの時間差から加熱手段２の後期の動作を決定して、加熱制御手段５を駆動するようにしたものである。
【００１９】
図２は、本実施の形態における炊飯器の具体構成を示している。鍋１は、ステンレス、鉄などの磁性体によって形成され、ボディ１０の収納部１２に着脱自在に収納されている。ボディ１０には、その上面を覆う蓋部１１が開閉自在に設置されている。ボディ１０の収納部１２は、上方の上枠１３と下方のコイルベース１４とから構成される。鍋１は、上枠１３の上端から浮き上がった状態で収納され、収納時に収納部１２との間に隙間を有する。また、コイルベース１４の鍋１底部に対向する部分には、加熱手段２として本実施の形態の場合は、誘導加熱する誘導加熱コイル１５が配設される。誘導加熱コイル１５は、コイルベース１４の底面外側に配設された外コイルと、底面内側に配設された内コイルとからなる。それぞれの誘導加熱コイルは、鍋１底部の中心の略真下に中心を有する巻線である。
【００２０】
また、マイクロコンピュータ（図示しない）が搭載されている回路基板１６を有している。回路基板１６のマイクロコンピュータは、ソフトウエアにより誘導加熱コイル１５に交番磁界を発生させるための電流を制御する。実施の形態１の炊飯器は、鍋１を誘導加熱し、鍋１内の調理物１７を加熱調理する。調理物１７は、炊飯後のご飯などである。
【００２１】
次に、本実施の形態における炊飯器の加熱工程について、図３、図４を参照にして説明する。
【００２２】
まず、図４の加熱工程図において、冷飯加熱コースが実行されると、比較的高い電力のＷ１で加熱を開始し、鍋温度検知手段３が１００℃よりやや低い所定温度θ２を検知するまで加熱を続け（昇温１）、その後は、Ｗ１よりやや低い電力Ｗ２で、蓋温度検知手段４が１００℃よりやや低い所定の温度φ１を検知するまで加熱を続け（昇温２）、昇温１と昇温２を合わせたものを加熱前期とする。この間、鍋温度検知手段３が室温よりやや高い所定温度θ１を検知してから、蓋温度検知手段４がφ１を検知するまでの時間であるＴ１をカウントし、この結果に基づき、その後の加熱後期の加熱パターン、つまり加熱電力であるＷ３や加熱時間であるＴ２、および高温維持温度（温調温度）であるθ３が決定される。
【００２３】
続いて、加熱前期の情報で決定された加熱パターンに基づき、電力Ｗ２より低い電力Ｗ３で、加熱時間Ｔ２の間、鍋温度検知手段３の検知温度が、１００℃より高い所定温度θ３を維持するように加熱制御手段５が加熱手段２を制御し、冷飯加熱コースを終了する。
【００２４】
次に、炊飯器の冷飯加熱コースの動作は、図３に示すように、Ｓ３１で冷飯加熱コース選択手段６により冷飯加熱コースが選択されると、Ｓ３２で冷飯加熱コースのスタートスイッチが押されて加熱を開始する。Ｓ３３では、選択された冷飯加熱シーケンスに基づき加熱が実行される。Ｓ３４では、鍋温度検知手段３により室温よりやや高い所定温度θ１を検知すると同時にＴ１のカウントを開始し、Ｓ３５で蓋温度検知手段４により１００℃よりやや低い所定の温度φ１を検知すると同時にＴ１のカウントを終了する。Ｓ３６では、Ｓ３５でカウントされたＴ１の情報に基づき加熱後期の加熱パターンを決定する。
【００２５】
続くＳ３７、Ｓ３８、Ｓ３９は加熱パターンの一例であるが、例えばＳ３７でＴ１≦２００、つまりご飯の量が少ないか、あるいは温度が比較的高い場合と判定されれば、Ｓ３１０で加熱後期の加熱時間Ｔ２は５′００″、鍋温度検知手段３の温調温度θ３は１１０℃、加熱電力はデューティ制御で６／１６という加熱パターンが選択され実行される。同様に、Ｓ３８で２００＜Ｔ１≦２８０、つまりご飯の量が中間量か、あるいは温度が中間温度と判定されれば、Ｓ３１１で加熱後期の加熱時間Ｔ２は６′３０″、鍋温度検知手段３の温調温度θ３は１１３℃、加熱電力はデューティ制御で７／１６という加熱パターンが選択され実行される。Ｓ３９でＴ１＞２８０、つまりご飯の量が多いか、あるいは温度が比較的低い場合と判定されれば、Ｓ３１２で加熱後期の加熱時間Ｔ２は８′００″、鍋温度検知手段３の温調温度θ３は１１５℃、加熱電力はデューティ制御で８／１６という加熱パターンが選択され実行される。
【００２６】
最後に、Ｓ３１３で冷飯加熱コースの終了が確認され、全工程を終了する。このような加熱工程をすべて実行すると、トータル時間として、本実施の形態における炊飯器の場合約１５分前後を要する。
【００２７】
以上のように、本実施の形態の炊飯器は、冷飯加熱コースにおいては、加熱前期の鍋温度検知手段３と蓋温度知手段４の温度勾配または所定の温度に達するまでの時間差から、炊飯器内に残ったご飯の量や温度を検知して、加熱後期の加熱手段２の動作を調整するため、少量のご飯の場合は温めすぎたり、鍋底が乾燥しすぎたりするのを防止し、大量のご飯の場合は、加熱不足による温度の上昇不足や温度むらを防止し、ご飯の量や温度に関わらず、常に適度な加熱量で再加熱を行なうことができるものである。
【００２８】
（実施の形態２）
図５、図６は、本発明の実施の形態２における炊飯器の冷飯加熱コースの動作を示している。本実施の形態では、炊飯器の構成および基本動作については、実施の形態１と同じであるのでその説明を省略する。
【００２９】
本実施の形態では、図５に示すように、鍋１に常温に冷めたご飯が入った状態で動作をスタートさせると、Ｓ５１で冷飯加熱コース選択手段６により冷飯加熱コースが選択されると、Ｓ５２で鍋温度検知手段３により鍋１の加熱前の初期温度θ０と、蓋温度検知手段４により蓋部１１の加熱前の初期温度φ０を検知し、図６に示すように、予め設定されたデータテーブル（ＤＴ）への初期温度データ（ＥＴ）の読み込みが行なわれる。Ｓ５３で冷飯加熱コースのスタートスイッチが押されて加熱を開始し、Ｓ５４では、選択された冷飯加熱シーケンスに基づき加熱が実行される。Ｓ５５では、鍋温度検知手段３により室温よりやや高い所定温度θ１を検知すると同時にＴ１のカウントを開始し、Ｓ５６で蓋温度検知手段４により１００℃よりやや低い所定の温度φ１を検知すると同時にＴ１のカウントを終了する。Ｓ５７では、Ｓ５２で図６のデータテーブルに読み込まれたθ０とφ０の初期データ（ＥＴ）に、Ｓ５６でカウントされたＴ１を加えて、演算が行なわれ、加熱後期の加熱パターンを決定する。
【００３０】
続くＳ５８では、Ｓ５７で決定された加熱パターンに基づき、加熱後期の加熱が実行され、最後にＳ５９で冷飯加熱コースの終了が確認され、全工程を終了する。
【００３１】
以上のように、本実施の形態の炊飯器は、冷飯加熱コースにおいては、鍋温度検知手段３と蓋温度検知手段４の加熱開始時の初期温度情報から加熱手段２の動作を決定するため、加熱前のご飯の温度や環境温度によって加熱手段２の動作を調節して、常に同じ温度にご飯を温めることができ、季節や放置時間に関わらず、いつでも安定した温度で、温かい美味しいご飯を食することができるものである。
【００３２】
（実施の形態３）
次に、本発明の実施の形態３における炊飯器について説明する。本実施の形態では、炊飯器の構成および基本動作については、実施の形態１、２と同じであるのでその説明を省略する。
【００３３】
本実施の形態では、実施の形態１、２の動作に加えて、鍋１に常温に冷めたご飯が入った状態で動作をスタートさせると、図４に示すように、加熱制御手段５は加熱手段２を駆動すると同時に、経過時間の計時をスタートし、通常の加熱前期（Ｔ１）と加熱後期（Ｔ２）を合わせた時間（約１５分）よりも長い時間Ｔ３（約２０分）後に加熱手段２を停止させ、動作を終了させる。
【００３４】
このように加熱制御手段５は機能の動作をスタートしてから遅くともＴ３（約２０分）後に加熱手段２停止させ動作を終了させるので、鍋１内のご飯の量が少なすぎたり、多すぎたり、あるいは、鍋１と鍋温度検知手段３または加熱手段２との間に米粒などの異物が挟まれて正常な鍋１の温度を検知できない場合などに、長時間、加熱手段２を駆動して、加熱手段２や回路基板１６の温度が異常に高くなり、使用保証温度を超えるといった不具合を防ぐことができるものである。
【００３５】
（実施の形態４）
図７は、本発明の実施の形態４における炊飯器の冷飯加熱コースの動作を示している。本実施の形態では、炊飯器の構成および基本動作については、実施の形態１と同じであるのでその説明を省略する。
【００３６】
本実施の形態では、図に示すように、実施の形態１〜３の動作と同じく、鍋１に常温に冷めたご飯が入った状態で動作をスタートさせると、Ｓ７１で冷飯加熱コースが選択され、Ｓ７２で鍋温度と蓋温度の初期値（ＥＴ）をデータテーブルに読み込む。次に、Ｓ７３でＳ７２において読み込まれた温度データ（ＥＴ）をもとに、冷飯加熱コースを実行するための総工程時間を算出し、冷飯加熱コースのスタート時に表示する残時間初期値を決定する。続いてＳ７４で冷飯加熱コースのスタートスイッチが押される同時に、炊飯器の表示部に残時間初期値を表示する。Ｓ７５では、冷飯加熱シーケンスに基づき加熱を実行するとともに、表示部に表示された残時間を１分毎に減算する。Ｓ７６からＳ７８は実施の形態３と同様の動作を実行した後、Ｓ７９では、Ｓ７８で決定された加熱後期の加熱パターンに基づき加熱後期の総工程時間を算出し、現在の残時間表示と比較して、誤差がある場合は表示を補正して、より実際の工程終了までの時間に近い値を表示する。その後は、実施の形態３と同様の動作を実行して全工程を終了する。
【００３７】
以上のように、本実施の形態においては、冷飯加熱コースの加熱開始時に、初期温度から算出された残時間初期値を表示し、さらに経過時間毎に表示が減算していく残時間が常に表示がされるため、使用者は冷飯加熱コースが終了するまでにおおよそどれくらいの時間がかかるかのかを、加熱開始時にも加熱途中でも常に確認することができ、食事準備の段取りをスムーズに行なうことができるものである。
【００３８】
また、加熱前期の温度検知手段３、４の情報から、後期の加熱手段２の動作を修正した場合に、表示された残時間との誤差が生じた場合には、途中で補正するため、使用者は常に正確な残時間を確認することができるものである。
【００３９】
（実施の形態５）
図８は、本発明の実施の形態５における炊飯器の冷飯加熱コースの動作を示している。本実施の形態では、炊飯器の構成および基本動作については、実施の形態１と同じであるのでその説明を省略する。
【００４０】
本実施の形態では、図に示すように、実施の形態１〜４の動作と同じく、鍋１に常温に冷めたご飯が入った状態で動作をスタートさせると、Ｓ８１で冷飯加熱コースが選択された後、Ｓ８３で加熱後のご飯の最終温度をご飯温度選択手段により好みの温度に選択する。続く、Ｓ８３からＳ８８は実施の形態３と同様の動作を実行した後、Ｓ８９では、すでにデータテーブルに読み込まれている鍋温度と蓋温度の初期値（ＥＴ）に加え、図４に示す加熱前期のＴ１がデータテーブルに読み込まれる。同時にＳ８２で選択されたご飯温度に基づき、図４に示す加熱後期の温調温度であるθ３を決定し、これより加熱後期の加熱パターンが決定される。Ｓ８１０では残時間を補正して補正値を表示し、Ｓ８１１ではＳ８９で決定された加熱パターンに基づき、加熱後期の加熱を実行し、Ｓ８１２で冷飯加熱コースの終了が確認され全工程を終了する。
【００４１】
以上のように、本実施の形態においては、冷飯加熱後のご飯の最終温度を使用者の好みの温度帯に選択できるため、使用者は常に好みの温度のご飯を美味しく食することができるものである。
【００４２】
以上の各実施の形態では、加熱手段として誘導加熱コイルを採用したが、これは、電熱ヒーターやガス、その他の熱源に変更しても良いことは言うまでもない。
【産業上の利用可能性】
【００４３】
以上のように、本発明の炊飯器は、炊飯後、保温をしないで冷めたご飯を再度、炊飯器内で簡単に炊き立てに近い高温まで温めることができ、かつご飯の乾燥や温度バラツキの少ないご飯の再加熱ができるので、一般家庭で使用される炊飯器としてはもちろんのこと業務用炊飯器としても適用できる。
【図面の簡単な説明】
【００４４】
【図１】本発明の実施の形態１における炊飯器のブロック図
【図２】同炊飯器の具体構成を示す断面図
【図３】同炊飯器の加熱動作を示すフローチャート
【図４】本発明の実施の形態１、３における炊飯器の加熱工程図
【図５】本発明の実施の形態２における炊飯器の加熱動作を示すフローチャート
【図６】同炊飯器の加熱パターンを決定するためのデータテーブルを示す図
【図７】本発明の実施の形態４における炊飯器の加熱動作を示すフローチャート
【図８】本発明の実施の形態５における炊飯器の加熱動作を示すフローチャート
【符号の説明】
【００４５】
１  鍋
２  加熱手段
３  鍋温度検知手段
４  蓋温度検知手段
５  加熱制御手段
６  冷飯加熱コース選択手段
【図１】
2008000392.tif 000003
【図２】
2008000392.tif 000004
【図３】
2008000392.tif 000005
【図４】
2008000392.tif 000006
【図５】
2008000392.tif 000007
【図６】
2008000392.tif 000008
【図７】
2008000392.tif 000009
【図８】
2008000392.tif 000010